(57)【特許請求の範囲】
【請求項１】
受け台の上に積重ねた複数枚の書類の一側に沿って、該書類の一側に向かって引出した製本テープを、該一側の上面、背面、下面に貼着するように設けてなる製本テープ貼付装置において、前記書類の一側に隣接する一側を前記製本テープの引出された側端部に整合するように位置決めする位置決め板を設け、該位置決め板は、前記製本テープの引出し方向に対し横切る方向に移動自在に設けたことを特徴とする製本テープ貼付装置。
【請求項２】
前記受け台と前記位置決め板のいずれか一方にねじ部材を固定し、他方に回転自在に保持した他のねじ部材を設け、該他のねじ部材に前記一方のねじ部材を螺合させたことを特徴とする請求項１記載の製本テープ貼付装置。
【請求項３】
前記他のねじ部材を一対の傘歯車を介して回動自在に設けたことを特徴とする請求項２記載の製本テープ貼付装置。
【発明の詳細な説明】
【０００１】
【発明の属する技術分野】
本発明は、書類の背（書類の一側の上面、背面、下面）を覆うようにテープを貼付ける製本テープ貼付装置に関するものである。
【０００２】
【従来の技術】
従来の製本テープ貼付装置としては、例えば、特開平７−５２５８０号公報に開示されているものがある。この公報のものは、図８及び図９に示すように、書類１の背の長さＬにほぼ等しい幅のテープロール２から癖取りロール３及び引っ張りロール４を介して粘着性のある製本テープ５を引出し、引出した製本テープ５が引っ張りロール４の外周に貼付いて巻込まれないように剥離ロール６によって剥離させながら、製本テープ５をガイド板７に沿って下貼り受け板８のところまで、幅方向にずれることなく引出す。そして、あらかじめ製本テープ５を、書類１の厚みＴの長さに、書類１の上面1bと下面1cを覆うために必要な長さを加算した長さ(T2)に、回転式のテープカッター９によって切断し、その後、切断した製本テープ５を書類１の背に貼付ける。
【０００３】
このように製本テープ５を下貼り受け板８のところまで引出すためには、まず、図10に示すような、製本テープ貼付装置本体の上部に形成された凹部10に、図11に示すように、テープロール２を載置し、このテープロール２を製本テープ貼付装置本体に向かって左側Ａに寄せて位置決めセットしてから、製本テープ５の先端部を引っ張りロール４の外周面に貼付け、ノブ11を回転させて順次下貼り受け板８側に引出すようにしている。その後、テープロール２を収納した凹部10は蓋部12によって閉じられる。
【０００４】
テープロール２より引出された製本テープ５は、引っ張りロール４の外周面に貼付いて案内されることから、幅方向のずれを生じることなく、安定した状態で、ガイド板７に沿って真っ直ぐに押し出されるようになる。
【０００５】
この状態でホッチキスなどで止められた書類１を、受け板13の左側縁部に立設させた位置決め壁13A に沿わせて、図８に示すように、受け板13と、可動押え板14及び押え板15との間に挟み、さらに、書類１の先端がストッパ16に当接するまで押込むことによって挿入方向の位置決めをする。この状態において、書類１を受け板13と、可動押え板14及び押え板15とをストッパ16に沿って下方に押し下げれば、書類１の左下面はその全長に亙って受け板８上の製本テープ５に接着し、次いで書類１がガイド板７の垂下した折曲部7bに沿って下降するとき、製本テープ５は、書類１の背面に接着され、そして、書類１の左上面が折曲部7bより下方になったとき、上貼りロール22a を右に移動させて残りの製本テープ５を書類１の左上面に接着する。
【０００６】
【発明が解決しようとする課題】
以上説明した従来技術において、テープロールを製本テープ貼付装置本体の内部にセットした際、テープロールが製本テープ貼付装置本体の正規の位置、すなわち、テープロールが製本テープ貼付装置本体の左側に寄せた位置にセットされていないことがある。この状態で、書類を可動押え板及び押え板と、受け板との間に位置決めして押下げると、製本テープがはずれた状態で書類の背に接着されてしまう。この状態は製本テープが引張りロールに貼付けられて引出されるため、製本テープと書類との位置関係は製本テープが使い終らない限り継続される。この状態を変えるためには、製本テープを再びセットし直さなければならず、そのための作業は煩雑である。
【０００７】
本発明は、上記従来の課題を解決するためになされたもので、テープロールの装置に対するセットがずれていても、これを修正することなく引出されたテープに対し、テープのずれ分だけ横方向（製本テープの幅方向）に書類を移動させて、製本テープの一側辺に整合し、書類の背にずれることなく製本テープを貼着することができる製本テープ貼付装置を提供することを目的とする。
【０００８】
【課題を解決するための手段】
請求項１記載の発明は、受け台の上に積重ねた複数枚の書類の一側に沿って、該書類の一側に向かって引出した製本テープを、該一側の上面、背面、下面に貼着するように設けてなる製本テープ貼付装置において、前記書類の一側に隣接する一側を前記製本テープの引出された側端部に整合するように位置決めする位置決め板を設け、該位置決め板は、前記製本テープの引出し方向に対し横切る方向に移動自在に設けたことを特徴とするものである。
【０００９】
請求項２記載の発明は、前記受け台と前記位置決め板のいずれか一方にねじ部材を固定し、他方に回転自在に保持した他のねじ部材を設け、該他のねじ部材に前記一方のねじ部材を螺合させたことを特徴とするものである。
【００１０】
請求項３記載の発明は、前記他のねじ部材を一対の傘歯車を介して回動自在に設けたことを特徴とするものである。
【００１１】
【発明の実施の形態】
以下、本発明の実施の形態の一例を図に基づき、図８乃至図11と同一の部材には同一の符号を付して説明する。図１において、製本テープ貼付装置本体には癖取りブレード17、引っ張りロール４及び剥離ロール６がテープロール２から引出される製本テープ５の引出し方向に順次設けられており、引っ張りロール４と剥離ロール６とは櫛状になっていて、その外周が相互に重なり合うように軸支されており、これら両ロール４，６の頂点（外周）を結ぶ接線は一定の角度αになるように傾斜している。
【００１２】
そして、製本テープ５の巻き癖を除去するためにテープロール２を癖取りブレード17より下の位置にセットし、癖取りブレード17の位置は引出される製本テープ５が引っ張りロール４の外周面に接触する長さができるだけ長くなるように配設されて、少なくとも引っ張りロール４の外周下部よりも高い位置になるように配設されている。
【００１３】
剥離ロール６の外周面は例えば、シリコン処理されており、外周面に粘着性のある製本テープ５が貼付かないようにしている。本実施例では製本テープ５の巻き癖を取るために癖取りブレード17を用いているが、これに限定されるものではなく、要するに巻き癖が除去できるロールなどを利用してもよい。
【００１４】
テープカッター９は回転式のもので、断面Ｔ形のホルダ18の下端に取付けられており、ホルダ18は摺動板19に設けられた軸20に製本テープ５の引出方向（矢印方向）に移動可能に支持されて、書類１の厚さＴ（図９参照）に応じて製本テープ５の裁断位置がその長さ方向で調整できるようになっている。そして、摺動板19はストッパ16と案内板21との間にあって、製本テープ５の幅方向に摺動可能に支持されているので、製本テープ５を所定の長さT2（図９参照）に裁断できる。符号22で示すものは、製本テープ５のガイドロールである。
【００１５】
このテープカッター９の表面にはシリコンやテフロン等の滑剤が塗布され、粘着性のある製本テープ５を切断してもテープカッター９に粘着性物質が付着しないようにして、刃の切れ味を長期間持続させるようにしている。
【００１６】
可動押え板14はストッパ16との間に製本テープ５の厚さにほぼ等しい僅かな間隙をもって水平方向及び上下方向に移動可能のように支持されている。押え板15は可動押え板14の水平移動量だけ間隙C1をあけた状態で上下動可能に設けられている。また、書類１を載置する受け台としての受け板13は、可動押え板14及び押え板15の下面に対向した位置であって、可動押え板14及び押え板15とは独立しており、かつ、可動押え板14及び押え板15に連動して上下動可能に設けられている。また、受け板13のストッパ16との間は、下貼り受け板８の長さ寸法にほぼ等しい距離C2だけ離れた状態になっている。
【００１７】
また、図１に示すように、ガイド板７の製本テープ５のガイド方向の端部は垂直に折曲げられてテープ折曲圧着部38に形成されており、このテープ折曲圧着部38の圧着面38a とストッパ16のストッパ面16a とが同一垂直平面内になるようにストッパ16はテープ折曲圧着部38の上方に設けられている。そして、下貼り受け板８はこのテープ折曲圧着部38に対して製本テープ５の厚さに等しい僅かな間隙をもって配設されている。この下貼り受け板８の支持面8aは、ガイド板７のガイド面7aと略同一高さになっている。図１おいて、符号22a で示すものは上貼りロールである。
【００１８】
また、書類１の受け板13は、図２に示すように、板状の部材で形成されており、その上面は、図３の断面図で示すように、左側が一段低くなった段差を有する面となっている。そして、低面側には、左の縁部に位置決め板23を立設させた水平の支承板24が図中、左右方向に移動可能に配設されている。支承板24の面と、受け板13の高い面とは面一になっている。
【００１９】
位置決め板23は、製本テープ５を貼着する書類１の背に隣接する一側（以下、書類１の天部という）を、製本テープ５の幅方向の側端部に整合させるためのものであり、支承板24は受け台13と協力してその上面に書類１を載置し、かつ、位置決め板23を移動させる移動機構を装着するためブラケットの働きをしている。受け板13は支承板24の全下面を支えているが、部分的でも良く、また、支承板24を受けるのはレール部材のようなものでも良い。
【００２０】
支承板24の下面には、ねじ部材である雌ねじを有するスライドねじ部材25が固定されており、スライドねじ部材25には、受け板13の下面に取付けられた軸受26に回転自在に保持された他のねじ部材である雄ねじを有するシャフト部材27が螺合している。シャフト部材27の他側にはシャフト部材27を回動させるための回動ノブ28が設けられている。回動ノブ28の外周部は受け板13に形成された開口部29より受け板13の表面に臨んでいる。
【００２１】
また、支承板24の下面に固定したスライドねじ部材25は、受け板13に形成されたガイドスリット13a に係合している。ガイドスリット13a は、シャフト部材27が回動してスライドねじ部材25が移動する際、スライドねじ部材25を案内するためのガイドの働き及びスライドねじ部材25の移動を制限をするためのストッパの働きをしている。さらに、ガイドスリット13a は、シャフト部材27が回動する際、シャフト部材27の回りに支承板24が回転するのを防止する。
【００２２】
図３において、符号30は止め輪、符号31は回動ノブ28の回動音を発生させる回動ノブ用クリックである。符号32は回動ノブ用クリック31の保持部材である。
【００２３】
このように設けた支承板24と一体の位置決め板23を移動させて、書類１の挿入位置を調整する場合は、受け板13の表面に臨んでいる回動ノブ28を回動させれば、シャフト部材27が回動し、シャフト部材27の回動に伴って、スライドねじ部材25が受け板13に形成されたガイドスリット13a に沿って移動すると共に、支承板24と一体の位置決め板23が、製本テープ５の引出す方向（図２の矢印Ｂ方向）に対し横切る方向（図２及び図３の矢印Ｅ方向）に移動する。このようにして位置決め板23の内壁面を製本テープ５の側辺に合致させ、この調整した位置決め板23に書類１の天部（又は底部）を当接させれば、書類１の天部と、引出した製本テープ５の幅方向の一端部とが整合する。この状態で、従来の手順で、製本テープ５を書類１の背に貼着操作を行えば、書類１の背の高さと製本テープ５の幅が整合した状態で貼着される。
【００２４】
【実施例】
次に、上記貼付装置を用いた製本テープ５の貼り方を図４及び図５に基づいて説明する。図４及び図５についての具体的な構造は出願人がすでに出願している特開平７−５２５８０号公報に記載されているので、ここでの詳細な説明は省略する。
【００２５】
図４の(イ) では、製本テープ５が書類１の厚みＴ（図９参照）に合わせて切断され、かつ、癖取りブレード17により巻き癖が除かれた状態でその先端側が下貼り受け板８の上に載置されている。この段階では、可動押え板14がストッパ16に当接しており、かつ、受け板13は下貼り受け板８よりも上方に位置している。この可動押え板14と押え板15とが受け板13から離間している状態で、書類１を支承板24及び受け板13の上に載置し、書類１の製本テープ５を貼付ける側に隣接する一側、すなわち書類１の天側または地側を位置決め板23に沿わせながら押込み、書類１の先端をストッパ16に当接させ挿入方向の位置決めする。
【００２６】
そして、可動押え板14及び押え板15を押し下げ、書類１を受け板13と、可動押え板14及び押え板15との間で挟持する。このとき、受け板13の先端とストッパ16との間に一定の距離（図１におけるＣ2 ）があるので、書類１は下側の一部が受け板13から解放された状態で挟持される。
【００２７】
次に、上記図４の(イ) の状態から可動押え板14及び押え板15と、受け板13とで書類１を挟持したままこれを一体として押下げる。これにより、図４の(ロ) の段階では上記書類１の下側で受け板13から解放されている部分が、下貼り受け板８の上に載せられている製本テープ５に圧接し、書類１の背1aの下面に製本テープ５が貼付けられると共に、書類１の下面も可動押え板14と下貼り受け板８とで挟持される。なお、図４の(ロ) 、(ハ) 、図５の(ニ) 、(ホ) の図については、位置決め板23及び支承板24をスライドさせる、シャフト部材27や回動ノブ28等は省略してある。
【００２８】
引き続き、可動押え板14及び押え板15、受け板13及び下貼り受け板８で書類１を挟持したままこれらを一体として押し下げると（図４のハの段階）、書類１の背面がテープ折曲圧着部38の圧着面38a に沿って下降するので、製本テープ５が書類１の背面にこすり付けられるようにして貼付けられる。
【００２９】
そして、さらに可動押え板14及び押え板15、受け板13及び下貼り受け板８により書類１を挟持したまま、これらを一体として押下げ、可動押え板14を押え板15の側に引けば、可動押え板14が後退する動作に追従して、上貼りロール22a が製本テープ５を圧着しながら回転移動してくる（図５のニの段階）。
【００３０】
この上貼りロール39の回転により製本テープ５はこすられながら書類１の上面に貼付けられる（図５のホの段階）。
【００３１】
このようにして書類１に製本テープ５が貼付けられるが、製本テープ５が製本テープ貼付装置本体の正規の位置よりもずれてセットされている場合、書類１を受け板13の正規の位置（位置決め板23に当接させた位置）に沿わせて挿入すると、製本テープ５が書類１の背に正しく貼付けられなくなる。
【００３２】
このようなときには、図２及び図３に示す、受け板13の表面に臨んでいる回動ノブ28を回動させ、支承板24と共に、位置決め板23を横方向に移動させて、位置決め板23の内壁面と、引出した製本テープ５の幅方向の側端部とを整合させれば、書類１の挿入位置を調整することができる。
【００３３】
このように調整した位置決め板23に沿わせて、受け板13及び支承板24に書類を載置し、この受け板13及び支承板24と、可動押え板14及び押え板15とで書類１を挟持して一体に押下げれば、書類１の背1aの正しい位置に製本テープ５を貼付けることができる。
【００３４】
なお、上記実施例の形態においては、受け台を板状の部材で形成した受け板13にし、この受け板13の上面に位置決め板23と一体の支承板24を配設したが、これに限定されるものではなく、受け台を枠体によって形成し、その上部に支承板24を配設してもよい。
【００３５】
また、本実施例では、位置決め板23と一体の支承板24の下面に一方のねじ部材であるスライドねじ部材25を固定し、このスライドねじ部材25に、受け板13の下面に設けた軸受26に回転自在に保持した他のねじ部材であるシャフト部材27のねじ部を螺合させたが、このようにせず、受け板13の下面にスライドねじ部材25を固定し、このスライドねじ部材25に支承板24の下面に設けた軸受26に回転自在に保持したシャフト部材27のねじ部を螺合させ、このシャフト部材27を回動ノブ28によって回動させて支承板24を介して位置決め板23を移動するようにしてもよい。いずれの場合でも、作用は上記実施例の形態と同じなので、省略する。
【００３６】
また、図６に示すように、位置決め板23を一体に備えた支承板24の下面に、ねじ部を受け板13側に向けたシャフト部材27を固定し、このシャフト部材27のねじ部を、受け板13に回転自在に保持された、ノブを兼用したスライドねじ部材25に螺合させ、このスライドねじ部材25を回動させることにより、支承板24を介して位置決め板23を移動させるようにしてもよい。また、受け板13に、ねじ部を支承板24側に向けたシャフト部材27を固定し、シャフト部材27のねじ部を、支承板24に回転自在に保持したスライドねじ部材25に螺合させ、スライドねじ部材25を回動させることによって、支承板24を介して位置決め板23を移動させるようにしてもよい。いずれの場合でも、作用は上記実施例の形態と同じなので、省略する。
【００３７】
また、上記実施例の形態においては、回転自在に設けたシャフト部材27やスライドねじ部材25を回動させ、支承板24を介して位置決め板23を移動させるようにしたが、シャフト部材27を一対の傘歯車33，34を介して回動させてもよい。
【００３８】
これを図７を用いて説明する。図に示すように、支承板24にスライドねじ部材25を固定し、このスライドねじ部材25に受け板13の下部に設けた軸受26に回転自在に保持したシャフト部材27の一側のねじ部を螺合させ、さらに、シャフト部材27の他側には傘歯車33を設け、この傘歯車33に別の軸受35に回転自在に保持した軸部材36の先端の傘歯車34を噛合させ、軸部材36を回動ノブ37を回動させることによって、支承板24を介して位置決め板23を移動させるようにしてもよい。
【００３９】
また、受け板13の下面にスライドねじ部材25を固定し、このスライドねじ部材25に支承板24の下面に設けた軸受26に回転自在に保持したシャフト部材27の一側のねじ部を螺合させ、さらに、シャフト部材27の他側には傘歯車33を設け、この傘歯車33に支承板24に設けた別の軸受35に回転自在に保持した軸部材36の傘歯車34を噛合させてもよい。この場合、傘歯車33と傘歯車34との噛合部は支承板24側に設けられることになる。
【００４０】
上記二つの機構とも、傘歯車33，34を使用しない場合に比べて、シャフト部材27が90度折曲した状態になり、回動ノブ37の回動は製本テープ貼付装置本体に向かって左右方向となる。このようにした回動ノブ37を回動させれば、軸部材36が回動し、傘歯車33と傘歯車34との噛合部を介してシャフト部材27が回動し、支承板24を介して位置決め板23が製本テープ５の引出す方向に対し横切る方向に移動する。
【００４１】
このようにしても、書類１の挿入位置が調整でき、製本テープ５を書類１の正規の位置に貼付けることができる。また、傘歯車33，34を用いた場合は回動ノブ37を左右方向に回動させればよいので、傘歯車33，34を使用しない場合よりも回動がやり易くなる効果がある。
【００４２】
また、本実施例の形態は、位置決め板23を支承板24と一体に形成し、支承板24を介して位置決め板23を製本テープ５の引出し方向に対し横切る方向に移動できるようにしたが、位置決め板23と支承板24とを別体に形成し、位置決め板23のみを独立して移動できるようにしてもよい。
【００４３】
この場合、位置決め板23の下部に設けたブラケット（図示省略）に直接、スライドねじ部材25を固定し、このスライドねじ部材25に、受け板13に回転自在に設けたシャフト部材27を螺合させてもよいし、また、前記ブラケットに回転自在に設けたシャフト部材27を、受け板13に固定したスライドねじ部材25に螺合させてもよい。
【００４４】
さらに、位置決め板23のブラケットに固定したシャフト部材27を、受け板13に回転自在に設けたスライドねじ部材25に螺合させてもよいし、ブラケットに回転自在に設けたスライドねじ部材25に受け板13に固定したシャフト部材27を螺合させてもよい。これら位置決め板23に直接、移動機構を取付けた場合も作用は前記実施例と同じなので、省略する。
【００４５】
【発明の効果】
請求項１記載の発明においては、位置決め板を製本テープの引出し方向に対し横切る方向に移動自在に設けたので、テープロールが製本テープ貼付装置本体の正規の位置にセットされていなくても、これを修正することなく、位置決め板の一を調節して書類のセット位置を移動させれば、書類の天部と、引出した製本テープの側端部とを整合させることができ、製本テープをその幅と、書類の背の高さ位置を整合させた状態で貼付けることができると共に、貼付けの作業性を向上させることができる。
【００４６】
請求項２記載の発明においては、受け台と位置決め板のいずれか一方に固定したねじ部材に、他方に回転自在に設けた他のねじ部材を螺合させ、位置決め板を、製本テープの引出し方向に対し横切る方向に移動させるようにしたので、書類の背の正しい位置に製本テープが貼られていないときは、他のねじ部材を回転させることにより、位置決め板を移動調整し、書類の天部と製本テープの側端部とを整合させることができる。これによって、製本テープを書類の背の正しい位置に貼ることができる。
【００４７】
請求項３記載の発明においては、前記他のねじ部材を一対の傘歯車を介して回動させるようにしたので、他のねじ部材の軸の向きを90度折曲させることができる。したがって、他のねじ部材を製本テープ貼付装置本体に向かって左右方向に回動させることができ、回動がやり易くなる効果がある。
【図面の簡単な説明】
【図１】本発明の一実施例を模式的に示した図である。
【図２】図１に示す受け板の上面図である。
【図３】図２のもののＤ−Ｄ線に沿う断面図である。
【図４】図１における装置の製本過程を示す模式図である。
【図５】図１における装置の製本過程を示す模式図である。
【図６】位置決め板の他の実施例を示す断面図である。
【図７】位置決め板の他の実施例を示す断面図である。
【図８】従来の装置を模式的に示した図である。
【図９】従来の製本テープと書類との関係を示す斜視図である。
【図１０】テープロールを内部に装着した製本テープ貼付装置の斜視図である。
【図１１】テープロールを位置決め用の凹部に配設した製本テープ貼付装置の斜視図である。
【符号の説明】
１  書類
1a  背面
５  製本テープ
13  受け板
23  位置決め板
24  支承板
25  スライドねじ部材
27  シャフト部材
33  傘歯車
34  傘歯車
【図１】
0003637467.tif 000002
【図２】
0003637467.tif 000003
【図３】
0003637467.tif 000004
【図４】
0003637467.tif 000005
【図５】
0003637467.tif 000006
【図６】
0003637467.tif 000007
【図７】
0003637467.tif 000008
【図８】
0003637467.tif 000009
【図９】
0003637467.tif 000010
【図１０】
0003637467.tif 000011
【図１１】
0003637467.tif 000012